【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
一種な情報購読システムであって、
直接にネットワークにアクセスする機能を備えた携帯型端末装置と、情報購読システム情報発行プラットフォームと、伝送プロトコル授権制御プラットフォームと、ネットワークとを有する。
【請求項２】
上記情報購読システムは下記の実現方法があって、
Ａ：上記端末装置が上記ネットワークへアクセスを通して上記情情報発行プラットフォームと上記授権制御プラットフォームと交信する。
Ｂ：上記授権制御プラットフォームが上記端末装置から送信された授権認証情報にて上記端末装置に対する承認を行う。
Ｃ：上記認証が通れた場合では上記情報発行プラットフォームがダンロード許容命令を指示する。
【請求項３】
請求項１に記載の情報購読システムであって、
上記端末装置がハードウエア授権チップと、ネットワークインターフェースと、メモリ媒体と、コントローラと、表示装置と、メディアプロセッサーと、出力装置とを有することを特徴とする情報購読システム。
【請求項４】
請求項１に記載の情報購読システムであって、
上記情報発行プラットフォームは少なくともホストサバー１台を有し、
上記情報発行プラットフォームの機能はマルチメディア情報管理システムと、システム更新と、システムメンテナンスと、ユーザの個人情報管理と、ユーザの好む情報の推薦及びプロモーションと、ロイヤルティ支払い管理とを有することを特徴とする情報購読システム。
【請求項５】
請求項１に記載のホストサーバにおける情報購読システムであって、
上記授権制御プラットフォームが上記端末装置に対する承認を行って管理することを特徴とする情報購読システム。
【請求項６】
請求項１に記載の情報購読システムであって、
上記ネットワークが有線あるいは無線ネットワークいずれを有することを特徴とする情報購読システム。
【請求項７】
請求項１に記載の情報購読システムであって、
上記情報購読システムは、あらゆる上記端末装置が上記ネットワークとの間での通信に補助するネットワーク・マルチメディア・ドッキングステーションを有することを特徴とする情報購読システム。
【請求項８】
請求項１に記載の情報購読システムであって、
上記情報購読システムがネットワーク・マルチメディア・アダプターを有することを特徴とする情報購読システム。
【請求項９】
請求項３に記載の情報購読システムであって、
上記ハードウエア授権チップは暗号アルゴリズム器と、著作権権限のコントローラと、通信プロトコルとを有することを特徴とする情報購読システム。
【請求項１０】
請求項３に記載の情報購読システムであって、
上記端末装置がユニークなハードウエア・シリアルナンバーを指定されることを特徴とする情報購読システム。
【請求項１１】
請求項３に記載の情報購読システムであって、
上記ネットワークインターフェースが内蔵WiFiと,モバイルネットワークと、イーサネットなどの無線と、有線ネットワークインターフェースとを有することを特徴とする情報購読システム。
【請求項１２】
請求項３に記載の情報購読システムであって、
上記メモリ媒体が内蔵メモリＩＣ、メモリカード、あるいはマイクロハードディスクであって、ダウンロードされたメディアコンテンツを保存することを特徴とする情報購読システム。
【請求項１３】
請求項３に記載の情報購読システムであって、
上記コントローラーは、各機能モジュールの動作を制御し、メモリ媒体の管理及び各種のネットワークプロトコルのプロセシングさせ、
上記コントローラーは、上記端末装置が上記ネットワークへのアクセスさせ、
上記コントローラにはインストールされたソフトウェアの構造がパブリック式で上記端末装置のソフトウェアの更新とダウンロードの管理もを行うことを特徴とする情報購読システム。
【請求項１４】
請求項３に記載の情報購読システムであって、
上記メディア・プロセッサーが各異なるフォーマットに基づくメディアコンテンツの処理を行って、ビデオとオーディオ・マルチメディア・コンテンツを対応し、
上記メディア・プロセッサーのシステムが新しいマルチメディア・コンテンツのフォーマットを対応するため、ソフトウェアにて更新され、
上記メディア・プロセッサーがオンライン・プレーとダウンロードプレーを対応することを特徴とする情報購読システム。
【請求項１５】
請求項３に記載の情報購読システムであって、
上記表示装置がネットワーク・ダウンロード及び通信接続状況などの情報を表示することを特徴とする情報購読システム。
【請求項１６】
請求項３に記載の情報購読システムであって、
上記出力装置がビデオとオーディオのプレーバックインターフェイスを有し、デコード及び処理されたデータストリーム・メディアを出力してプレーバックし、
上記出力装置が対応するプレーヤにデコード及び処理されたデータストリーム・メディアを出力してプレーバックすることを特徴とする情報購読システム。
【請求項１７】
請求項４に記載の情報購読システムであって、
上記ホストサバーが大量なマルチメディアコンテンツを保存していることを特徴とする情報購読システム。
【請求項１８】
請求項４に記載の情報購読システムであって、
上記情報発行プラットフォームは複数級分布式というネットワークシステム構造を有し、
上記情報発行プラットフォームが端末のユーザに高速で便利なマルチメディアダウンロード方式を提供し、
上記情報発行プラットフォームが対ユーザーのダウンロード速度を上げるため、分サーバー14を設けて、分サーバー14の下に契約授権方式で各地域で子サーバー15を設けることを特徴とする情報購読システム。
【請求項１９】
請求項４に記載の情報購読システムであって、
上記情報とコンテンツ管理システムは、複数級分布式の保存構造を有するいくつかのサバーに基づく
上記情報とコンテンツ管理システムは、ユーザーの検索を便利にするため、マルチメディアコンテンツにて索引方式でデータベースリストを作成して、各コンテンツがユニークな排列方法にて各級サバーに保存されることを特徴とする情報購読システム。
【請求項２０】
請求項４に記載の情報購読システムであって、
上記情報とコンテンツ管理システムは、上記ホストサーバに保存されている上記端末装置によるダンロードしたコンテンツリストを上記端末装置が当面ダンロードしたコンテンツリストとシンクロナスして更新することを特徴とする情報購読システム。
【請求項２１】
請求項４に記載の情報購読システムであって、
上記授権承認システムは、授権確認システムによって著作権の制御とロイヤルティ支払いを実現することを特徴とする請求項４に記載の情報購読システム。
【請求項２２】
請求項４に記載の情報購読システムであって、
上記情報発行プラットフォームが上記ネットワークを通して上記端末装置のソフトウェアの更新によって上記情報発行プラットフォームのシステムの更新をさせることを特徴とする情報購読システム。
【請求項２３】
請求項４に記載の情報購読システムであって、
上記情報発行プラットフォームは上記端末装置のソフトウェアの漏れ口を修繕によって上記情報発行プラットフォームのシステムのメーテナンスを実現することを特徴とする情報購読システム。
【請求項２４】
請求項４に記載の情報購読システムであって、
上記情報発行プラットフォームが上記端末装置のユーザの個人情報を記録して、ユーザの個人情報管理を実現することを特徴とする情報購読システム
【請求項２５】
請求項４に記載の情報購読システムであって、
上記情報発行プラットフォームは、マルティメヂア情報コンテンツの推薦とプロモーションする機能を有し、
上記端末装置が上記情報発行プラットフォームとの接続とダンロード記録とを分析して、上記端末装置のユーザの好みを明確の上、マルティメヂア情報コンテンツの推薦とプロモーションすることを特徴とする情報購読システム。
【請求項２６】
請求項４に記載の情報購読システムであって、
上記情報発行プラットフォームはロイヤルティ支払い管理機能を有して、ユーザがダンロードによる発生したロイヤルティを記録することを特徴とする情報購読システム。
【請求項２７】
請求項４に記載の情報購読システムであって、
上記暗号アルゴリズム器がダイナミック暗号アルゴリズムにて、リアルタイムに授権キーを計算することを特徴とする情報購読システム。
【請求項２８】
請求項４に記載の情報購読システムであって、
上記著作権権限のコントローラがマルティメディアコンテンツの著作権の権限情報を読取ることを特徴とする情報購読システム。
【請求項２９】
請求項４に記載の情報購読システムであって、
上記通信プロトコールが上記有線ネットワークと上記無線ネットワークと交信するには必要なプロトコールであることを特徴とする情報購読システム。
【請求項３０】
請求項７に記載の情報購読システムであって、
上記ネットワーク・マルチメディアのドッキングステーションは上記端末装置による確定したダンロードマルチメディアリストを受取り、
上記ネットワーク・マルチメディアのドッキングステーションは、上記ダンロードマルティメディアリストに基づいて、上記情報発行プラットフォームより必要な情報をダンロードすることを特徴とする情報購読システム。
【請求項３１】
請求項８に記載の情報購読システムであって、
上記ネットワーク・マルチメディア・アダプターは、ネットワーク・インターフェイス装置を有して、ネットワークへアクセスしてマルチメディアとデータコンテンツを受取り、
上記ネットワーク・マルチメディア・アダプターは、受取ったマルチメディアとデータコンテンツを、搭載されている保存装置とメモリ媒体にストレージし、
上記ネットワーク・マルチメディア・アダプターは、通信インターフェイスを通じて、ネットへアクセス機能を持たないマルチメディアプレーヤと接続して、受取ったマルチメディアとデータコンテンツを伝送することを特徴とする情報購読システム。
【請求項３２】
請求項２に記載の方法であって、
Ｂに記載の身分承認は下記のように実行する：
上記伝送プロトコル授権制御プラットフォームは、上記端末より身分確認コードを受取り、
上記伝送プロトコル授権制御プラットフォームは、暗号アルゴリズム器による計算された授権キーにて身分確認コードと照合して相違なければダンロード要請を同意し、
上記伝送プロトコル授権制御プラットフォームは、上記端末装置に権限を授けるか否かを判断し、
上記伝送プロトコル授権制御プラットフォームは、認証が通れた場合ではＣを実行して、認証が通れなかった場合、当面のアクションを中止させることを特徴とする方法。
【請求項３３】
請求項２に記載の方法であって、
上記Ｃに上記情報発行プラットフォームに保存されているマルチメディアコンテンツの捜索及びダンーロードを有することを特徴とする方法。
【請求項３４】
請求項2、4、21に記載の情報購読システムであって、
上記Ｃでは、ダウンロードされる情報データに著作権制御情報が付く場合、授権チップ7が著作権の制御情報に基づいて当該ユーザーが当該情報データをコピー、伝送、修正などの操作を許容することを特徴とする請請求項2，４、21に記載の情報購読システム。